(57)【要約】【課題】液体の滲入による腐食や、周囲を濡らすなどの問題が生じることなく、使用期間が長くなっても確実にユーザにクリック感を与える。【解決手段】肩体８と蓋体３のいずれか一方のネジ部１２を形成した部位に、ネジ部１２の谷側に向けて窪む取付凹部１５を設け、取付凹部１５に装着され、該取付凹部１５から弾性的に進出および弾性力に抗して後退する係止部２４を備えた別体のクリック部材１８を設けるとともに、係止部２４が進出位置で係止する被係止部５を肩体８と蓋体３のいずれか他方に設けた構成とする。例えば、クリック部材１８は、取付凹部１５に装着される基部１９と、該基部１９から突出する弾性部２３と、該弾性部２３から突出する係止部２４とからなる。【選択図】　図１
2004129722.tif 000002
【特許請求の範囲】
【請求項１】
容器本体の上部に肩体を取り付け、該肩体に対して蓋体を互いのネジ部によって着脱可能に螺合する液体容器において、
前記肩体と蓋体のいずれか一方のネジ部を形成した部位に、前記ネジ部の谷側に向けて窪む取付凹部を設け、
前記取付凹部に装着され、該取付凹部から弾性的に進出および弾性力に抗して後退する係止部を備えた別体のクリック部材を設けるとともに、
前記係止部が進出位置で係止する被係止部を前記肩体と蓋体のいずれか他方に設けたことを特徴とする液体容器。
【請求項２】
前記クリック部材は、前記肩体と蓋体のいずれか他方より硬度が高い材料からなることを特徴とする請求項１に記載の液体容器。
【請求項３】
前記クリック部材は、前記取付凹部に装着される基部と、該基部から突出する弾性部と、該弾性部から突出する前記係止部とからなることを特徴とする請求項１または請求項２に記載の液体容器。
【発明の詳細な説明】
【０００１】
【発明の属する技術分野】
本発明は、液体容器に関するものである。
【０００２】
【従来の技術】
本発明の液体容器に関連する先行技術文献情報としては次のものがある。
【０００３】
【特許文献１】
特開平１１−４６８６０号公報
【０００４】
前記特許文献１では、容器本体の上部に固定した肩体に、舌片状板からなる弾性部を一体に設けるとともに、該弾性部に係止用突起を設け、また、前記容器本体に着脱可能に螺合する蓋体に突起受け部を設けた容器の蓋体係合構造が提供されている。この容器では、容器本体に蓋体を取り付けた際に、弾性部により付勢された係止用突起が突起受け部に係止するため、確実に螺合したことをユーザに知らせるクリック感を与えることができる。
【０００５】
【発明が解決しようとする課題】
しかしながら、前記液体容器は、弾性部を形成するための型抜き孔が肩体に形成される。そのため、コップとして兼用される蓋体を、その内面に液体が付着した状態で肩体に取り付けると、その液体が前記孔から容器本体との間に滲入する。また、液体容器を洗浄する際にも同様にして洗浄水が孔から容器本体との間に滲入する。その結果、例えば容器本体が金属製である場合、腐食が発生するという問題がある。また、肩体と容器本体の隙間を通って容器本体を濡らしたり、周囲を濡らすという問題がある。
【０００６】
さらに、前記構造では、使用期間が長くなると、前記係止用突起が摩耗して係止力が弱くなるとともに、クリック感も減衰するという問題がある。
【０００７】
そこで、本発明は、液体の滲入による腐食や、周囲を濡らすなどの問題が生じることなく、使用期間が長くなっても確実にユーザにクリック感を与えることができる液体容器を提供することを課題としている。
【０００８】
【課題を解決するための手段】
前記課題を解決するため、本発明の液体容器は、容器本体の上部に肩体を取り付け、該肩体に対して蓋体を互いのネジ部によって着脱可能に螺合する液体容器において、前記肩体と蓋体のいずれか一方のネジ部を形成した部位に、前記ネジ部の谷側に向けて窪む取付凹部を設け、前記取付凹部に装着され、該取付凹部から弾性的に進出および弾性力に抗して後退する係止部を備えた別体のクリック部材を設けるとともに、前記係止部が進出位置で係止する被係止部を前記肩体と蓋体のいずれか他方に設けた構成としている。
【０００９】
この液体容器によれば、容器本体の上部に蓋体を被せて回転させ、係止部と被係止部とが一致すると、前記係止部が取付凹部内に後退した状態から弾性的に進出し、その進出位置で係止部と被係止部とが係止するとともに、肩体と蓋体のいずれか他方に衝突する。これにより、ユーザは、容器本体に蓋体を完全に螺合させたというクリック感を得ることができる。また、本発明の液体容器では、肩体に孔が形成されていないため、蓋体に付着した液体や洗浄時の水が、その孔から容器本体との間に滲入することはない。その結果、金属製の容器本体が腐食するのを防止できるうえ、これらの隙間を通って容器本体の外周面や周囲を濡らすことを確実に防止できる。
【００１０】
この液体容器では、前記クリック部材は、前記肩体と蓋体のいずれか他方より硬度が高い材料からなることが好ましい。このようにすれば、係止部の衝突により生じる音は高い音となる。そのため、ユーザが得られるクリック感は、手から伝わる感覚のみならず、耳からも得ることができる。さらに、クリック部材が硬度が高い材料により形成されているため、使用期間が長くなって係止部が摩耗することを抑制できる。そのため、前記クリック感が経時的に減衰することを防止できる。
【００１１】
また、前記クリック部材は、前記取付凹部に装着される基部と、該基部から突出する弾性部と、該弾性部から突出する前記係止部とからなることが好ましい。
【００１２】
【発明の実施の形態】
以下、本発明の実施の形態を図面に従って説明する。
図１から図３（Ａ），（Ｂ）は、本発明の第１実施形態の液体容器１を示す。この液体容器１は、金属製真空二重容器からなる容器本体２と、該容器本体２の上部に取り付けるコップ兼用の蓋体３とからなる周知のものである。
【００１３】
前記蓋体３は、飲料する際にコップとして使用されるもので、ＰＰ（ポリプロピレン）により形成されている。この蓋体３には、その内周面にネジ部４が不連続な螺旋状に設けられるとともに、該ネジ部４の下端（始端）近傍にその一部を切り欠くようにして被係止部５が設けられている。また、上端（終端）近傍にはストッパ部６が設けられている。
【００１４】
前記容器本体２は、上部に環状の取付溝７が設けられ、この取付溝７に嵌め込まれる突部１３を備えた肩体８が固定されている。この肩体８には、容器本体２の上端開口を開閉可能に閉塞する周知の中栓９が着脱可能に装着される。
【００１５】
前記肩体８は、三段階に縮径した円筒状をなし、ＰＰ（ポリプロピレン）によって形成されている。この肩体８の上端には、略逆Ｕ字形状に折り返され、容器本体２の上端縁に嵌合する嵌合部１０が設けられている。この肩体８のうち、最も外径が小さい上段部８ａには、前記中栓９を螺合して着脱可能に装着するためのネジ部１１が螺旋状に設けられている。また、中段部８ｂには、前記蓋体３のネジ部４を螺合して着脱可能に装着するためのネジ部１２が螺旋状に設けられている。さらに、最も外径が大きい下段部８ｃには、その内周部に前記突部１３が設けられるとともに、外周部に図示しない紐を装着するための装着部１４が設けられている。
【００１６】
本実施形態では、この肩体８のネジ部１２を形成した中段部８ｂに、ネジ部１２の谷側に向けて窪む取付凹部１５を設け、該取付凹部１５に別体のクリック部材１８を装着している。言い換えれば、取付凹部１５は、ネジ部１２の突出方向と逆向きに窪むように形成されている。
【００１７】
前記取付凹部１５は、上段部８ａから下段部８ｃにかけて延びる溝からなり、前記蓋体３を完全に螺合させて閉塞した状態で、前記被係止部５と対応する位置に設けられている。この取付凹部１５には、両側に広がるように延びるとともに、前記上段部ａの外周面と略面一で上端から下向きに延びる位置決め溝部１６が形成されている。また、取付凹部１５の略中央部には、その溝の底から外向きに突出する係止突部１７が設けられている。
【００１８】
前記クリック部材１８は、前記取付凹部１５に装着される基部１９と、該基部１９から突出する弾性部２３と、該弾性部２３から突出する係止部２４とからなり、前記肩体８および蓋体３より硬度が高いポリアセタールによって形成されている。
【００１９】
前記基部１９は、前記取付凹部１５における上端から係止突部１７にかけて延びる矩形状のもので、その両側には前記位置決め溝部１６に挿着される位置決め部２０が設けられている。この基部１９と位置決め部２０との間にはスリット２１が設けられ、位置決め部２０に対して基部１９が弾性的に変形できるようにされている。また、基部１９の下端には、前記係止突部１７に係止する係止突部２２が設けられている。
【００２０】
前記弾性部２３は、前記基部１９の略上端から中段部８ｂの外周形状に略沿うように略逆Ｊ形状に突出された舌片状のものである。この弾性部２３の下端は、前記ネジ部１２を越え、蓋体３のネジ部４に対応する位置まで延びている。
【００２１】
前記係止部２４は、前記蓋体３の被係止部５に弾性的に係止されるもので、前記容器本体２の上部に蓋体３を完全に螺合して閉塞した状態で、前記ネジ部４と高さが一致するように前記弾性部２３の下端に外向きに突出するように設けられている。
【００２２】
なお、前記ネジ部１２は、蓋体３を容器本体２の上部に取り付けた状態では、その先端（ネジ山の頂部）が蓋体３の内周面に略接触する寸法で設計されている。しかし、これらの間には製造誤差により若干の隙間が生じることがある。そのため、本実施形態では、前記弾性部２３によって係止部２４で蓋体３の内周面（ネジ部４の基部）を外向きに押圧するように構成し、その製造誤差による容器本体２と蓋体３とのガタツキを防止できるようにしている。
【００２３】
このように構成した液体容器１では、肩体８の取付凹部１５に上方からクリック部材１８を差し込むことにより、取付凹部１５の係止突部１７とクリック部材１８の係止突部２２とを係止させ、離脱不可能な状態で取り付けることができる。そして、この取付状態では、クリック部材１８の係止部２４は、弾性部２３の弾性によって前記取付凹部１５の開口縁から進出状態を維持するとともに、弾性力に抗して取付凹部１５内に後退することができる。
【００２４】
また、前記容器本体２に蓋体３を取り付ける際には、容器本体２の上部に蓋体３を被せて回転させる。これににより、該蓋体３のネジ部４と前記肩体８のネジ部１２とが噛み合って螺合される。そして、蓋体３のネジ部４の下端が前記クリック部材１８の係止部２４に至ると、ネジ部４が係止部２４に当接し、ネジ部４によって係止部２４を介して係止部２４を撓ませ、前記係止部２４を取付凹部１５内に後退させる。
【００２５】
その後、クリック部材１８の係止部２４がネジ部４の被係止部５に達すると、係止部２４が弾性部２３の弾性力によって外向きに進出し、その進出位置で係止部２４が被係止部５に係止するとともに、係止部２４の先端が蓋体３の内周面に衝突する。これにより、ユーザは、容器本体２に蓋体３を完全に螺合させたというクリック感を得ることができる。
【００２６】
しかも、本実施形態では、前記クリック部材１８を蓋体３より硬度が高い材料により形成しているため、前記衝突による音は、「カチッ」という高い音となる。そのため、ユーザが得られるクリック感は、手から伝わる感覚のみならず、耳からも得ることができる。さらに、クリック部材１８が硬度が高い材料により形成されているため、使用期間が長くなって係止部２４が摩耗することを抑制できる。そのため、前記クリック感が経時的に減衰することを防止できる。
【００２７】
また、前記液体容器１では、肩体８に孔が形成されていないため、蓋体３に付着した液体や洗浄時の水が、その孔から容器本体２との間に滲入することはない。その結果、金属製の容器本体２が腐食するのを防止できるうえ、これらの隙間を通って容器本体２の外周面や周囲を濡らすことを確実に防止できる。
【００２８】
なお、肩体８の取付凹部１５とクリック部材１８との間には液体が滲入することがあるが、その液体は、取付凹部１５の底（壁面）に沿って下方から流出する。また、本実施形態では、取付凹部１５を上段部８ａから下段部８ｃにかけて設け、クリック部材１８を取り付けた状態でも下部に広い隙間が形成されるように構成している。そのため、その部分に液体が付着して汚れても、簡単に拭き取って清掃することができる。
【００２９】
図４は第２実施形態の液体容器１の肩体８とクリック部材１８を示す。第２実施形態の取付凹部１５には、第１実施形態に示す位置決め溝部１６および係止突部１７の代わりに、上段部８ａから下段部８ｃにかけて延びる溝の両側に係止溝２５が設けられている。また、第２実施形態のクリック部材１８には、第１実施形態に示す位置決め部２０および係止突部２２の代わりに、基部１９の両側に前記係止溝２５に係止する係止爪２６が設けられている。
【００３０】
そして、この第２実施形態では、クリック部材１８を肩体８の取付凹部１５に対して正面から押し込むようにして装着することにより、該クリック部材１８を肩体８に対して離脱不可能な状態、かつ、係止部２４を取付凹部１５の開口縁から弾性的に進出状態を維持するとともに、弾性力に抗して後退可能な状態に取り付けることができる。このようにしても第１実施形態と同様の作用および効果を得ることができる。
【００３１】
図５は第３実施形態の液体容器１を示す。この第３実施形態の取付凹部１５は、略矩形状に窪んだ穴により構成しており、その内側面には図示しないガイド溝が設けられている。第３実施形態のクリック部材１８は、略矩形状の基部１９を備え、該基部１９から前記係止部２４が突設されている。また、この基部１９の外側面にはガイド溝に嵌め込まれる図示しないガイド突部が設けられている。
【００３２】
そして、この第３実施形態では、クリック部材１８を肩体８の取付凹部１５に対してスプリング２７を介在させて装着することにより、該クリック部材１８を肩体８に対して離脱不可能な状態で、かつ、係止部２４を取付凹部１５の開口縁からスプリング２７の弾性力によって進出状態を維持するとともに、スプリング２７の弾性力に抗して後退可能な状態に取り付けることができる。このようにしても第１実施形態と同様の作用および効果を得ることができる。
【００３３】
なお、本発明の液体容器１は、前記各実施形態の構成に限定されるものではなく、種々の変更が可能である。
【００３４】
例えば、クリック部材１８を形成する材料は、ポリアセタールに限られず、被係止部５が形成された蓋体３より硬度が高い材料であればいずれでも適用可能である。また、クリック部材１８を板バネによって構成し、肩体８に設けた取付凹部１５にリベットやビスによって固定する構成としてもよい。
【００３５】
さらに、前記各実施形態では、蓋体３のネジ部４の一部を切り欠くようにして被係止部５を設け、このネジ部４と対応するようにクリック部材１８に係止部２４を設けたが、ネジ部４，１２とは関係しない独立した箇所に被係止部５および係止部２４が位置するように設けてもよい。
【００３６】
さらにまた、前記各実施形態では、クリック部材１８を肩体８に装着したが、蓋体３の内面側に取付凹部を設け、蓋体３にクリック部材１８を装着するとともに、該クリック部材１８の係止部２４が係止する被係止部を肩体８に設けてもよい。
【００３７】
【発明の効果】
以上の説明から明らかなように、本発明の液体容器では、ユーザにクリック感を与えるための構造を別体として形成しているため、肩体には孔が形成されていない。その結果、蓋体に付着した液体や洗浄時の水が容器本体との間に滲入することを防止できるため、容器本体が金属製である場合、その腐食を防止できるうえ、これらの隙間を通って容器本体の外周面や周囲を濡らすことを確実に防止できる。
【００３８】
また、前記クリック部材は、前記肩体と蓋体のいずれか他方より硬度が高い材料により形成しているため、係止部の衝突により生じる音は高い音となる。そのため、ユーザが得られるクリック感は、手から伝わる感覚のみならず、耳からも得ることができる。さらに、クリック部材が硬度が高い材料により形成されているため、使用期間が長くなって係止部が摩耗することを抑制できる。そのため、前記クリック感が経時的に減衰することを防止できる。
【図面の簡単な説明】
【図１】本発明の第１実施形態に係る液体容器を示す断面図である。
【図２】第１実施形態の肩体、クリック部材および蓋体を示す分解斜視図である。
【図３】クリック部材を示し、（Ａ）は正面図、（Ｂ）は（Ａ）の中央縦断面図である。
【図４】第２実施形態の肩体およびクリック部材を示す分解斜視図である。
【図５】第３実施形態の液体容器を示す断面図である。
【符号の説明】
１…液体容器、２…容器本体、３…蓋体、４…ネジ部、５…被係止部、８…肩体、１２…ネジ部、１５…取付凹部、１８…クリック部材、１９…基部、２３…弾性部、２４…係止部。
【図１】
2004129722.tif 000003
【図２】
2004129722.tif 000004
【図３】
2004129722.tif 000005
【図４】
2004129722.tif 000006
【図５】
2004129722.tif 000007